(57)【要約】【課題】内輪と外輪間の空間の入口を封鎖する密封板を両側面部に有する転がり軸受について、侵入した異物の外部への排出促進の効果を高めることを課題としている。【解決手段】外輪２または内輪３のいずれか一方に密封板６を固定し、その密封板６の自由端側を、他方の輪（軌道輪）に対面させ、その密封板６で外輪２と内輪３間に形成される空間７の軸受両側面の入口部を封鎖した転がり軸受について、異物に暴露される側の密封板６と軌道輪との間の隙間寸法をＡ、もう一方の密封板６と軌道輪との間の隙間寸法をＢとして、Ａ＜Ｂの条件を満足させた。【選択図】図２
2020085128.tif 000002
【特許請求の範囲】
【請求項１】
軌道輪としての外輪（２）または内輪（３）のいずれか一方に金属製の密封板（６）を固定し、その密封板（６）の自由端を、他方の軌道輪に対面させ、その密封板（６）で前記外輪（２）と前記内輪（３）間に形成される空間（７）の入口を封鎖した転がり軸受であって、
軸受の両側面部にそれぞれ設けられる密封板について、一方の密封板（６）と前記軌道輪との間の隙間寸法をＡ、他方の密封板と前記軌道輪との間の隙間寸法をＢとして、Ａ＜Ｂの条件を満たす転がり軸受。
【請求項２】
前記転がり軸受が、深溝玉軸受である請求項１に記載の転がり軸受。
【請求項３】
前記軌道輪との間の隙間寸法をＡに設定する密封板（６）と、軌道輪との間の隙間寸法をＢに設定する密封板（６）を同一仕様・同一寸法にし、前記軌道輪の、前記隙間寸法をＡに設定する密封板と隙間寸法をＢに設定する密封板の自由端が対面する部位の直径を異ならせて前記Ａ＜Ｂの条件を成立させた請求項１又は２に記載の転がり軸受。
【請求項４】
少なくとも前記軌道輪との間の隙間寸法をＡに設定する密封板（６）の外壁を、固定部から離れるにつれて軸受の軸方向外側に向かう方向に傾斜させた請求項１〜３のいずれかに記載の転がり軸受。
【請求項５】
前記軌道輪との間の隙間寸法をＡに設定する密封板（６）を外輪（２）に固定し、軌道輪との間の隙間寸法をＢに設定する密封板（６）を内輪（３）に固定した請求項１〜４のいずれかに記載の転がり軸受。
【請求項６】
横長のガイドレールと、そのガイドレールに案内される被ガイド部材と、その被ガイド部材に支持される支軸と、その支軸に支持されるガイドローラを有し、前記ガイドローラは、前記支軸に外嵌される内輪と、前記ガイドレール上を転動する外輪と、内・外輪間に配置される転動体を備えた転がり軸受で構成され、その転がり軸受が請求項１〜５のいずれかに記載の転がり軸受である移動ガイド装置。
【請求項７】
横長のガイドレール（２０）と、そのガイドレール（２０）に案内される被ガイド部材としてのテンタクリップ（１１）とを有し、前記テンタクリップ（１１）は、そのテンタクリップ（１１）に縦向き又は横向き姿勢にして固定された支軸（１５）と、その支軸（１５）に支持されるガイドローラ（１３）を有し、前記ガイドローラ（１３）は、前記支軸（１５）に外嵌される内輪（３）と、前記ガイドレール（２０）上を転動する外輪（２）と、内・外輪間に配置される転動体（５）を有する転がり軸受で構成され、その転がり軸受が、請求項１〜５のいずれかに記載の転がり軸受であるフィルム延伸機の横延伸装置。
【発明の詳細な説明】
【技術分野】
【０００１】
この発明は、軸受内部への異物の侵入を防止する密封板を内輪と外輪間の空間の軸受両側面側の入口部に設けた転がり軸受、特に、軸受の片面側からの異物の侵入が懸念される環境下で使用するときに有効性が発揮される転がり軸受に関する。
なお、ここで言う「侵入」は、軸受の内部に液体が入り込む「浸入」も包含した表現である。
【背景技術】
【０００２】
従来の転がり軸受のひとつに、図１１に示すものがある。図１１の転がり軸受は、密封型軸受と称されているものであって、内部、即ち外輪２と内輪３間に形成される空間７への異物の侵入を防止する目的で、前記空間７の入口部に、その入口部を封鎖する密封板６を設けている。
【０００３】
例示の転がり軸受の密封板６は、金属や樹脂で形成されており、外周側を固定端にしてその固定端が外輪２に固定されている。また、内周側は自由端にして内輪３に対し、所定の隙間ｇを持って対面させて非固定にしている。
【０００４】
内部の空間７の軸受両側部の入口を封鎖した２個の密封板６と内輪３との間に形成された非接触シール用の隙間ｇは、同一寸法である。
【０００５】
内輪３と密封板６との間に隙間がある図１１のような転がり軸受は、軸心が縦向きになる姿勢にして使用すると、上側に配置された密封板６上に異物が落下したときに、その異物が密封板と内輪との間の隙間から内部に侵入することが懸念される。
【０００６】
そこで、異物の侵入抑制を図った密封型転がり軸受として、下記特許文献１に記載されたものが提案されている。
【０００７】
特許文献１の転がり軸受は、縦向きに配置される軸（以下では縦軸と言う）を内輪で支持する用途に利用される。このような用途では、前記空間の両側に配置される２個の密封板のうち、上向きに配置される片方の密封板上に滴下したチェーン油などの異物が堆積することが考えられる。
【０００８】
堆積した異物は、密封板と軌道輪（外輪と内輪のうち、密封板が固定されない側の輪）の摺動面の突合せ部または摺動面間の微小隙間から軸受内部に入り込む虞がある。
【０００９】
このために、特許文献１の転がり軸受は、前記密封板の外壁に堰として機能する突起を設け、その突起で異物の移動を遮ることで、密封板と軌道輪の摺動面の突合せ部または摺動面間の微小隙間からの軸受内部への異物の侵入を抑制するようにしている。
【先行技術文献】
【特許文献】
【００１０】
【特許文献１】特開２００３−１４８４９５号公報
【発明の概要】
【発明が解決しようとする課題】
【００１１】
前記密封板には、樹脂やゴムなどの有機材料で形成されたものと、有機材料と金属との複合材で形成されたものと、金属のみで形成されたものとがある。
【００１２】
このうち、上記特許文献１の密封板は、金属製であり、堰として機能する突起を設けることで異物の侵入を抑制するようにしている。しかしながら、金属製の密封板は特に、軌道輪と密封板との間に両者の接触を避ける隙間（間隙）が設定されることから、その隙間を通っての異物の侵入を完全になくすことができない。
【００１３】
一方、有機材料で形成された密封板や有機材料と金属との複合材で形成された密封板は、軌道輪に接触させて摺動面間の隙間（摺動隙間）をゼロにすることができる。
【００１４】
しかしながら、摺動隙間がゼロであっても、異物がチェーン油などの液体であると、その液体が摺動部を通り抜けて軸受の内部に入り込む事態が起こる。
【００１５】
特許文献１が提案している転がり軸受や、異物の侵入防止策を講じていない従来の一般的な転がり軸受は、油などの異物が内部に侵入した場合、その異物が軸受の内部に閉じ込められ易い。
【００１６】
閉じ込められた異物は、軸受の回転により攪拌され、潤滑性の悪化や内部に封入されている潤滑剤の流出を助長する虞がある。
【００１７】
内部に油の混入によって流動性の高まるフッ素系グリースを封入した転がり軸受は特に、潤滑剤の流出助長が強く懸念される。
【００１８】
この発明は、密封板で内部の空間の入口部を封鎖した転がり軸受について、侵入した異物を速やかに排出できるようにすることを課題としている。
【課題を解決するための手段】
【００１９】
上記の課題を解決するため、この発明においては、軌道輪としての外輪または内輪のいずれか一方に金属製の密封板を固定し、その密封板の自由端側を、他方の輪（軌道輪）に対面させ、その密封板で前記外輪と前記内輪間に形成される空間の軸受両側面の入口部を封鎖した転がり軸受を、
一方の密封板と前記軌道輪との間の隙間寸法をＡ、他方の密封板と前記軌道輪との間の隙間寸法をＢとして、Ａ＜Ｂの条件を満たすものにした。ここで言う「隙間寸法」は、密封板と軌道輪との間の径方向寸法である。
【００２０】
有機材料で形成された密封板や有機材料と金属との複合材で形成された密封板は、軌道輪に接触させて摺動面間の隙間（前記隙間寸法Ａ）をゼロにすることができる。
【００２１】
この転がり軸受の好ましい構成を以下に列挙する。
１）軌道輪との間の隙間寸法をＡに設定する密封板と、その隙間寸法をＢに設定する密封板を、同一仕様、同一寸法にする。
２）少なくとも軌道輪との間の隙間寸法をＡに設定する密封板は、外壁を、固定部から離れるにつれて軸受の軸方向外側に向かう方向に傾斜させる。
３）軌道輪との間の隙間寸法をＡに設定する密封板を外輪に固定し、軌道輪との間の隙間寸法をＢに設定する密封板を内輪に固定する。
【００２２】
前記１）の構成を採用する軸受は、前記軌道輪の、密封板が対面する部位の直径を異ならせることで、一方の密封板の隙間寸法Ａと、他方の密封板の隙間寸法Ｂを異ならせることができる。
【００２３】
また、前記２）の構成を有する軸受での密封板の傾斜は、当該密封板の自由端から固定端に至る間のほぼ全域で外壁が同じ方向に傾斜している形態のほかに、外壁の傾斜が自由端側のみでなされていて、固定端側は傾斜のない状態になっている形態なども考えられる。
【００２４】
この発明の転がり軸受は、縦向き又は横向き配置の支軸を有する装置の前記支軸に内輪を外嵌し、片方の密封板を上向きにして使用する場合に、その有効性が特に顕著に発揮される。前記支軸は、固定軸と回転軸のどちらであってもよく、固定支軸に内輪を固定するものは、外輪をガイドレールに接触させてガイドローラとして使用することができる。
【００２５】
例えば、後に詳しく述べるフィルム延伸機の横延伸装置のテンタクリップには、固定された縦軸及び横軸で内輪を支持し、回転可能な外輪をガイドレール上で転動させるガイドローラが設置されており、この発明の転がり軸受は、その横延伸装置のテンタクリップのガイドローラとして利用することができる。その利用では、とりわけ優れた効果を期待することができる。
【００２６】
この発明は、横長のガイドレールと、そのガイドレールに案内される被ガイド部材と、その被ガイド部材に支持される支軸と、その支軸に支持されるガイドローラを有し、
前記ガイドローラは、前記支軸に外嵌される内輪と、前記ガイドレール上を転動する外輪と、内・外輪間に配置される転動体を備えた転がり軸受で構成され、その転がり軸受がこの発明の転がり軸受である移動ガイド装置も提供する。
【００２７】
さらに、移動ガイド装置を有する装置の具体例として、横長のガイドレールと、そのガイドレールに案内される被ガイド部材としてのテンタクリップとを有し、
前記テンタクリップは、そのテンタクリップに縦向き又は横向き姿勢にして固定された支軸と、その支軸に支持されるガイドローラを有し、
前記ガイドローラは、前記支軸に外嵌される内輪と、前記ガイドレール上を転動する外輪と、内・外輪間に配置される転動体を有する転がり軸受で構成され、
その転がり軸受がこの発明の転がり軸受であるフィルム延伸機の横延伸装置も併せて提供する。
【発明の効果】
【００２８】
この発明の転がり軸受は、他方の密封板の軌道輪との間の隙間寸法Ｂを一方の密封板の軌道輪との間の隙間寸法Ａよりも大きくしたことで、他方の密封板と軌道輪との間では異物が通り易くなっており、内部に侵入した異物の排出が促進される。
【００２９】
上記１）の構成を採用したものは、軸受の両側部に設ける密封板を兼用することが可能になり、軸受の製造コストの上昇を抑えることができる。
【００３０】
また、上記２）の構成を採用したものは、軌道輪との間の隙間寸法がＡに設定される側では、例えば、密封板の外壁上に落下した異物が、内部への侵入口（隙間寸法がＡに設定されたシール部）から遠ざかる方向に移動し、軌道輪との間の隙間寸法がＢに設定される側では、密封板の内壁の傾斜により、侵入した異物が外部への排出口（隙間寸法がＢに設定された非接触シール部）側に移動する。
【００３１】
そのために、軸受の内部に侵入した異物の排出促進の効果がさらに高まり、軸受内部への異物の侵入自体も抑制される。
【００３２】
このほか、上記３）の構成を採用したものは、内部に侵入した異物が軸受の回転によって生じる遠心力によって速やかに排出口のある外輪側に移動し、また、外輪を回転させる用途では、外輪に固定された密封板上に落下した異物が侵入口のある側から遠ざかる方向に移動する。
【００３３】
そのために、軸受の内部に侵入した異物の排出促進や、軸受内部への異物の侵入抑制の効果がさらに高まる。
【００３４】
また、縦向き又は横向き配置の支軸（固定軸や回転軸）をこの発明の転がり軸受を用いて支持しているので、軸受の内部に侵入した異物の排出が促進され、内部に滞留する異物が減少して装置の耐久性が向上する。
【００３５】
さらに、この発明の移動ガイド装置と、その移動ガイド装置を有する装置の具体例であるフィルム延伸機の横延伸装置も、軸受の内部に侵入した異物の排出促進の効果により、装置の耐久性が向上する。
【図面の簡単な説明】
【００３６】
【図１】この発明の転がり軸受の一例を示す部分切欠き斜視図である。
【図２】図１の転がり軸受の一部を示す断面図である。
【図３】図１の転がり軸受の片方の側面を直視した一部分の平面図である。
【図４】図１の転がり軸受の他方の側面を直視した一部分の底面図である。
【図５】この発明の転がり軸受の他の例の要部を示す断面図である。
【図６】この発明の転がり軸受のさらに他の例の要部を示す断面図である。
【図７】この発明の転がり軸受のさらに他の例の要部を示す断面図である。
【図８】この発明の転がり軸受のさらに他の例の要部を示す断面図である。
【図９】フィルム延伸機の横延伸装置の断面図である。
【図１０】フィルム延伸機の横延伸装置のガイドレールを示す概念図である。
【図１１】従来の密封型転がり軸受の要部を示す断面図である。
【発明を実施するための形態】
【００３７】
以下、添付図面の図１〜図１０に基づいて、この発明の転がり軸受の実施の形態と、その転がり軸受を有するフィルム延伸機の横延伸装置を説明する。
【００３８】
この発明の転がり軸受の一例を図１〜図４に示す。例示の転がり軸受１は、深溝玉軸受であって、外輪２と、内輪３と、保持器４で保持して内・外輪の軌道面２ａ、３ａ（図２参照）間に組み込んだ転動体５（ボール）と、２個の密封板６とで構成されている。
【００３９】
外輪２と内輪３間には空間７が存在し、その空間７の両側の入口部に前記密封板６が配置され、その密封板６により、空間７の入口部が封鎖されている。
【００４０】
密封板６は、金属のプレス成形品である。この密封板６の径方向外端部は、円筒に近い形の巻き曲げ部６ａとして加工され、その巻き曲げ部６ａが、外輪２の内径側の肩部（両側付近）に形成された係止溝２ｂに係止して密封板６の径方向外端部（巻き曲げ部６ａ）が外輪２に固定されている。
【００４１】
巻き曲げ部６ａには、切り込み８を周方向に適当な間隔をあけて複数設けており、その切り込み８の設置によって巻き曲げ部６ａを円環状に湾曲させることを可能にしている。
【００４２】
密封板６の非固定側の端部には、図２に示すように、軸方向内向きに折り曲げたスカート部６ｂが形成され、そのスカート部６ｂが内輪３の外径面３ｂに微小隙間をもって対面し、密封板６の非固定側端部と内輪３との間に非接触シール部が作り出されている。
【００４３】
密封板６は、外壁６ｃが固定端側から自由端側に向かって傾斜せずに（軸心に対して直角向き）延びている。
【００４４】
図２に示すように、片方の密封板６と内輪３との間の隙間寸法をＡ、もう一方の密封板６と内輪３との間の隙間寸法をＢとして、隙間寸法Ｂは隙間寸法Ａよりも大に設定されている。
【００４５】
図１〜図４の転がり軸受１は、内輪３との間の隙間寸法がＡに設定された密封板６が異物の暴露側（多くの場合は上側）を向く姿勢にして使用される。
【００４６】
この転がり軸受１は、潤滑用のグリースを、内輪３との間に寸法Ａの隙間を有する密封板（図１、図２の上側の密封板）６の内壁と保持器４との間に封入するとよい。そうすることで封入したグリースの流出が抑制される。
【００４７】
また、そのグリースを外輪２の軌道面２ａと保持器４との間に封入するのもよく、こうすることで、寸法Ａの隙間から寸法Ｂの隙間への異物の貫流が容易になり、内部に侵入した異物を軸受の外部に速やかに排出することができる。
【００４８】
図５は、この発明の転がり軸受の他の形態である。図５の転がり軸受１も、深溝玉軸受である。
【００４９】
図５の転がり軸受１は、接触形の密封板と非接触形の密封板を併用したものになっている。両側面部に設けられる２つの密封板６のうち、異物の暴露側（図中上側）に配置される密封板６は、金属製の芯金６−１とリップ６ｄを有するゴム６−２を組み合わせたゴムシールとなっている。
【００５０】
その密封板６（ゴムシール）は、外径側が外輪２に固定され、内径側のリップ６ｄが内輪３と摺動する接触形になっている。従って、その密封板６と内輪３との間の隙間寸法Ａ＝０である。
【００５１】
一方、図中下側の密封板６は、金属製の非接触形（金属シールド）であって、内輪３との間に寸法Ｂの隙間を有する。よって、図５の転がり軸受１は、自ずとＡ＜Ｂの関係が成立する。
【００５２】
図５の転がり軸受１は、図中上側の密封板（ゴムシール）６のゴムを着色することができる。その着色により、図中下側の密封板（金属シールド）６との目視判別が容易になり、軸受の組み付け方向の確認が容易になる利点が生じる。
【００５３】
図６は、この発明の転がり軸受のさらに他の形態である。この図６の転がり軸受１も、深溝玉軸受である。
【００５４】
図６の転がり軸受１は、異物の暴露側（図中上側）に設けられる密封板６と非暴露側に設けられる密封板６が、どちらも金属製の非接触形（金属シールド）になっている。また、外輪２の両側部に固定された２つの密封板６は、同一仕様・同一寸法となっている。
【００５５】
一方、内輪３は外径面３ｂの両側部が非対称形状になっており、その内輪３の２つの密封板６の各々と対面する領域の外径を変化させることで、２つの密封板６と内輪３との間の隙間寸法Ａ，ＢについてＡ＜Ｂの関係を成立させている。
【００５６】
この図６の転がり軸受１は、密封板６を成形するための金型が１種類でよく、金型費の抑制が図れる。また、使用する密封板６の統一により、生産ラインに投入する部品の種類が減少するため、異品混入の未然防止にもつながる。
【００５７】
図７も、この発明の転がり軸受のさらに他の形態である。この図７の転がり軸受１も、深溝玉軸受である。
【００５８】
図７の転がり軸受１は、外輪２の両側面部に金属製の密封板６が固定されている。図中上側の密封板６は異物に暴露される。この図中上側の密封板６と図中下側の密封板６は、内輪３との間の隙間寸法Ａ，Ｂが、Ａ＜Ｂの関係を満たすように設定されている。
【００５９】
内輪３との間の隙間寸法がＡ，Ｂに設定された２つの密封板６は、外壁６ｃが固定部から離れるにつれて軸受の軸方向外側に変位する方向に傾斜している。
【００６０】
このために、軸受が軸心を縦向きにして使用され、その軸受の上側の密封板６に対して異物が降りかかる用途においては、上側の密封板６上に落ちた異物が内部への侵入口から遠ざかる方向に流れる。
【００６１】
また、下側の密封板６については、侵入した異物が密封板の傾斜の影響によって排出口に近づく方向に流れ、内部への異物の侵入の抑制と、内部に侵入した異物の排出促進の効果がより高まる。
【００６２】
なお、図７の転がり軸受１に採用した密封板６は、自由端側から固定端側に至る間のほぼ全域で外壁６ｃが同じ方向に傾斜している。しかし、外壁の傾斜が自由端側のみに付され、固定端側は傾斜のない密封板や、自由端側とは反対向きに傾斜している密封板も内部への異物の侵入の抑制と、内部に侵入した異物の排出促進の効果を期待できる。
【００６３】
図８も、この発明の転がり軸受のさらに他の形態である。この図８の転がり軸受１も、深溝玉軸受である。
【００６４】
図８の転がり軸受１は、両側面部に金属製の密封板６が設けられている。異物に暴露される図中上側の密封板６は、外径側が外輪２に固定され、内径側の端部が寸法Ａの非接触シール隙間を介して内輪３に対面している。
【００６５】
また、図中下側の密封板６は、内径側が内輪３に固定され、外径側の端部が寸法Ｂの非接触シール隙間を介して外輪２に対面している。
【００６６】
この図８の転がり軸受１も、隙間寸法Ａと隙間寸法Ｂの関係は、Ａ＜Ｂになっている。
図８の構造によれば、内部に侵入した異物が軸受の回転によって生じる遠心力によって速やかに排出口（寸法Ｂの隙間）のある外輪２側に移動する。また、外輪を回転させる用途では、上側の密封板６の外壁上に落下した異物が侵入口から遠ざかる方向に移動する。
【００６７】
このために、軸受の内部に侵入した異物の排出促進や、軸受内部への異物の侵入抑制の効果がさらに高まる。
【００６８】
なお、この発明の転がり軸受は、軸心（支軸）を横向きにして使用する用途にも利用することができる。支軸を横向きにして使用する場合にも、外輪２と内輪３間の空間７に対して一方向から異物が侵入することがある。
【００６９】
このようなケースでは、軌道輪との間の隙間寸法がＡに設定されている側の端面を異物に暴露される側に配置することで、空間７に侵入した異物を、他端側のＢの寸法を有する隙間から、効果的に排出することができる。
【００７０】
転がり軸受をガイドローラとして使用する装置の一例を図９に示す。図９の装置は、フィルム延伸機の横延伸装置である。フィルム延伸機は、図示していないが、押出し機、ダイヘッド、冷却装置、縦延伸装置、横延伸装置、引き取り巻取り機を加工ラインに連続して配置したものである。
【００７１】
押出し機を経由してダイヘッドから吐出された溶融樹脂は、冷却装置によってシート状に冷却成形される。その後、多段ロールによって縦方向に延伸され、さらに、横延伸装置のテンタクリップにより横方向に延伸される。そして、以上の工程を経て得られたフィルムは、熱処理してロール状に巻き取られる。
【００７２】
図９に示したフィルム延伸機の横延伸装置１０には、テンタクリップ１１と、送られてくるフィルムＦの左右両側に配設される図１０に示すようなガイドレール２０が含まれている。
【００７３】
左右のガイドレール２０は、両者間の間隔がラインの進行方向に向かって徐々に広くなっている。このガイドレール２０にテンタクリップ１１が案内されてそのテンタクリップ１１に掴まれたフィルムＦが左右に引き延ばされる。
【００７４】
テンタクリップ１１は、多数個が鎖状に連結されてガイドレール２０に装着される。このテンタクリップ１１は、図９に示すように、縦延伸後のフィルムＦの両端部を掴むグリップ部１２と、閉ループで構成されたガイドレール２０上を転動する縦軸ガイドローラ１３及び横軸ガイドローラ１４と、縦軸ガイドローラ１３を支持する支軸（縦軸）１５と、横軸ガイドローラ１４を支持する支軸（横軸）１６を有する。支軸１５、１６は、テンタクリップ１１に固定されている。
【００７５】
ガイドレール２０は、水平方向を向く第１ガイド面２０ａと垂直方向を向く第２ガイド面２０ｂを有している。
【００７６】
第１ガイド面２０ａは、上を向いた面と下を向いた面の二面が設けられており、その二面の第１ガイド面２０ａに２個の横軸ガイドローラ１４が個別に案内されてテンタクリップ１１の高さ方向の位置決めがなされる。
【００７７】
第２ガイド面２０ｂも、互いに背を向けた二面が対をなしており、その対の第２ガイド面２０ｂに、対をなす２個の縦軸ガイドローラ１３が案内されてテンタクリップ１１の横方向の位置決めがなされる。
【００７８】
なお、第２ガイド面２０ｂによる対の縦軸ガイドローラ１３の案内部は、上下に２箇所設けられており、その２箇所の縦軸ガイドローラ案内部によってテンタクリップ１１の姿勢が保持されている。
【００７９】
このように構成されたテンタクリップ１１は、グリップ部１２でフィルムＦの両端部を掴み、この状態でガイドレール２０に沿って進行方向に進む。これにより、フィルムＦが横向きに引き延ばされる。
【００８０】
縦軸ガイドローラ１３と横軸ガイドローラ１４には、深溝玉軸受や複列アンギュラ玉軸受が多用されている。例示のフィルム延伸機の横延伸装置１０のテンタクリップ１１には、縦軸ガイドローラ１３として、図１〜図８に示したようなこの発明の深溝玉軸受が用いられている。
【００８１】
図示のフィルム延伸機の横延伸装置１０については、テンタクリップ１１やガイドレール２０に付着した潤滑油などが、縦軸ガイドローラ１３として用いた深溝玉軸受に含まれている上向き配置の上側の密封板上に滴り落ちることが不可避的に発生する。
【００８２】
密封板上に落ちたその異物（潤滑油など）は、金属製密封板を有する従来の図１１に示した転がり軸受が縦軸ガイドローラ１３として使用されていると、密封板の自由端側に形成される非接触シール部から軸受の内部に侵入する虞がある。
【００８３】
図９の横延伸装置１０は、縦軸ガイドローラ１３が、既述のこの発明の転がり軸受１で構成されているので、上側の密封板６（図９には図示せず）上に落下した異物は、上側の密封板６と軌道輪との間の隙間を通って不可避的に軸受の内部に侵入する。
【００８４】
しかしながら、下側の密封板６と軌道輪との間の隙間寸法Ｂが上側の密封板６と軌道輪との間の隙間寸法Ａよりも大きくなっているため、軸受の内部に侵入した異物は下側の密封板６と軌道輪との間の隙間から外部に排出され易い。
【００８５】
これにより、侵入した異物が軸受の回転により攪拌され、軸受の潤滑性の悪化や軸受の内部に封入されている潤滑剤の流出を助長するなどの不具合が抑えられる。
【００８６】
なお、この発明の転がり軸受は、フィルム延伸機の横延伸装置以外の装置、例えば、横長のガイドレールと、そのガイドレールに案内される被ガイド部材と、その被ガイド部材に支持される縦向き配置の固定軸と、その固定軸に支持されるガイドローラを有する移動体などの移動ガイド装置においても、前記ガイドローラとして好適に利用することができ、このようなケースでも優れた効果を期待できる。
【００８７】
既に述べた通り、用途次第では、支軸を横向きにして使用する場合にも、外輪と内輪間の空間に対して一方向から異物が侵入することがあり、そのようなケースでも、この発明の転がり軸受を使用することで、内部に侵入した異物の排出を促進して軸受の寿命を延ばすことができる。
【符号の説明】
【００８８】
１          転がり軸受
２          外輪
２ａ        軌道面
２ｂ        係止溝
３          内輪
３ａ        軌道面
３ｂ        外径面
４          保持器
５          転動体
６          密封板
６ａ        巻き曲げ部
６ｂ        スカート部
６ｃ        外壁
６ｄ        リップ
６−１      芯金
６−２      ゴム
７          外輪と内輪間の空間
８          切り込み
ｇ          内輪と密封板との間の隙間
１０        フィルム延伸機の横延伸装置
１１        テンタクリップ
１２        グリップ部
１３        縦軸ガイドローラ
１４        横軸ガイドローラ
１５        縦軸
１６        横軸
２０        ガイドレール
２０ａ      第１ガイド面
２０ｂ      第２ガイド面
Ｆ          フィルム
【図１】
2020085128.tif 000003
【図２】
2020085128.tif 000004
【図３】
2020085128.tif 000005
【図４】
2020085128.tif 000006
【図５】
2020085128.tif 000007
【図６】
2020085128.tif 000008
【図７】
2020085128.tif 000009
【図８】
2020085128.tif 000010
【図９】
2020085128.tif 000011
【図１０】
2020085128.tif 000012
【図１１】
2020085128.tif 000013